(57)【要約】【課題】スイッチ付き同軸コネクタにおいて、折り曲げ加工等の追加工程を必要とせず、製品内部への異物の侵入を少なくすることができる塞構造を実現する技術を提供する。【解決手段】基板上に実装されるスイッチ付き同軸コネクタ２１であって、同軸プラグの中心導体を上方から受入れ可能な縦孔３５を有する絶縁ハウジング２２と、絶縁ハウジング２２の外側に設けられ前記同軸プラグの外部導体が着脱可能な外部導体２３と、縦孔３５の下方に設けられ互いに接離可能な固定端子２４及び可動端子２５と、を備える。そして、絶縁ハウジング２２は、可動端子２５を圧入するための挿入孔５０と、挿入孔５０の上部に設けられた押圧変形部５３とを有し、外部導体２３は、押圧変形部５３と対面する部分に押圧部７０を有し、押圧変形部５３は、外部導体２３が絶縁ハウジング２２に装着される時に、押圧部７０により押し下げられ、挿入孔５０を塞いでいる。【選択図】図１
2010238523.tif 000002
【特許請求の範囲】
【請求項１】
絶縁ハウジングと、
外部導体と、
固定端子及び可動端子と、を備え、
前記固定端子は接触部を有し、前記可動端子は、前記絶縁ハウジングに固定される固定部と、前記固定部から片持ち梁状に延出し、同軸プラグの中心導体と当接可能且つ前記接触部と接触可能な弾性部とを有し、
前記同軸プラグの中心導体が前記絶縁ハウジングの前記孔に嵌合していないとき、前記弾性部が前記接触部と接触し、前記固定端子と前記可動端子とが電気的に接続され、
前記同軸プラグの中心導体が前記絶縁ハウジングの前記孔に嵌合すると、前記中心導体が前記弾性部に当接し、前記弾性部が前記接触部から離間し、前記固定端子と前記可動端子とが電気的に遮断され、前記同軸プラグの中心導体と前記可動端子とが電気的に接続されるように構成されている、基板上に実装されるスイッチ付き同軸コネクタであって、
前記絶縁ハウジングは、前記同軸プラグの中心導体を上方から受入れ可能な孔を有し、
前記外部導体は、前記絶縁ハウジングの外側に設けられ、
前記固定端子及び可動端子は、前記孔の下方に設けられ、互いに接離可能であり、
前記絶縁ハウジングは、前記可動端子を圧入するための挿入孔と、前記挿入孔の上部に設けられた押圧変形部とを有し、
前記外部導体は、前記押圧変形部と対面する部分に押圧部を有し、
前記押圧変形部は、前記外部導体が前記絶縁ハウジングに装着される時に、前記押圧部により押し下げられ、前記挿入孔を塞いでいることを特徴とする同軸コネクタ。
【請求項２】
前記押圧部は、前記押圧変形部と対面する部分が凸状となっていることを特徴とする請求項１記載の同軸コネクタ。
【請求項３】
前記押圧変形部は、前記押圧部と対面する部分が凸状となっていることを特徴とする請求項１記載の同軸コネクタ。
【請求項４】
前記押圧変形部は、前記絶縁ハウジングの前記挿入孔の上部に切り込みを入れることにより形成されていることを特徴とする請求項１乃至３のいずれか１項に記載の同軸コネクタ。
【請求項５】
前記可動端子は、前記固定部の一部に、前記挿入孔を塞ぐ立上がり片を有していることを特徴とする請求項１乃至４のいずれか１項に記載の同軸コネクタ。
【請求項６】
基板上に実装されるスイッチ付き同軸コネクタの組み立て方法であって、
絶縁ハウジングの第１の挿入孔を通して、前記絶縁ハウジング内の空間に第一の端子を圧入する第１工程と、
前記絶縁ハウジングの第２の挿入孔を通して、前記絶縁ハウジング内の前記空間に第二の端子を圧入する第２工程と、
前記絶縁ハウジングに外部導体を上方から装着する第３工程と、を有し、
前記第３工程において、前記絶縁ハウジングの少なくとも１つの挿入孔の上部に設けられた押圧変形部が、前記外部導体の押圧部により押し下げられて、前記押圧変形部が下方に曲げられて、前記少なくとも1つの挿入孔が塞がれることを特徴とする同軸コネクタの組み立て方法。
【請求項７】
前記押圧部は、前記押圧変形部と対面する部分が凸状となっていることを特徴とする請求項６記載の同軸コネクタの組み立て方法。
【請求項８】
前記押圧変形部は、前記押圧部と対面する部分が凸状となっていることを特徴とする請求項６記載の同軸コネクタの組み立て方法。
【請求項９】
前記押圧変形部は、前記絶縁ハウジングの前記挿入孔の上部に切り込みを入れることにより形成されていることを特徴とする請求項６乃至８のいずれか１項に記載の同軸コネクタの組み立て方法。
【発明の詳細な説明】
【技術分野】
【０００１】
本発明は、基板上に実装される同軸コネクタ、特に、高周波信号回路を切り換えるためのスイッチ機構を備えたスイッチ付き同軸コネクタに関する。
【背景技術】
【０００２】
携帯電話機のような携帯式の通信機器において、内蔵される高周波回路の検査用にスイッチ付き同軸コネクタが広く使用されている。
従来のスイッチ付き同軸コネクタとして、例えば、同軸プラグの中心導体を受入れ可能な孔を有する絶縁ハウジングと、この絶縁ハウジングの外側に設けられた外部導体と、孔の下方に設けられた固定端子及び可動端子とから成るものがある。さらに、固定端子は、接触部を備え、可動端子は、絶縁ハウジングに固定される固定部と、同軸プラグの中心導体と当接可能且つ接触部と接触可能な弾性部とを備えている（例えば、特許文献１等参照）。
【０００３】
この従来のスイッチ付き同軸コネクタにおいて、同軸プラグが装着されていないときは、可動端子は弾性部の弾性力により固定端子の接触部に押し付けられて、固定端子と可動端子は電気的に接続された状態を保持する。一方、同軸プラグが装着されているときは、同軸プラグの中心導体の下端部は、コネクタの縦孔に挿通する。この状態で中心導体は弾性部に当接し、弾性部は中心導体により押し下げられ、弾性変形し、接触部から離間し、固定端子と可動端子は電気的に切り離されると同時に、中心導体と可動端子が接続された状態となる。これにより、可動端子から固定端子へ流れていた信号を可動端子から中心導体へ流して、可動端子に接続されている高周波回路を検査することができる。
【先行技術文献】
【特許文献】
【０００４】
【特許文献１】特開２００７−１４１６６５号公報
【発明の概要】
【発明が解決しようとする課題】
【０００５】
上記の従来コネクタでは、可動端子や固定端子を絶縁ハウジングに組み込んだ後であっても、可動端子、特にその弾性部を絶縁ハウジングに挿入するための挿入孔が、開状態とされるため、これら開状態にある挿入孔から製品内部に異物が入り、信号端子間の接触に悪影響を及ぼしてしまうおそれがある。
【０００６】
このような課題を解決する技術として、例えば、本願出願人による特開２００７−１４１６６５号公報（特許文献１）に開示されているものがある。特許文献１に開示されている同軸コネクタは、絶縁ハウジングの可動端子が圧入される側に延伸部を設け、可動端子を挿入した後に、外部導体に設けられた抑え部を下方に折り曲げることにより、絶縁ハウジングの延伸部を下方に折り曲げて、挿入孔を塞ぐものである。
【０００７】
しかしながら、特許文献１の技術は、挿入孔を塞ぐために、抑え部及び延伸部を折り曲げる追加工程が必要であり、また、抑え部及び延伸部により外形サイズが部分的に大きくなってしまう。
【０００８】
そこで、本発明の目的は、スイッチ付き同軸コネクタにおいて、折り曲げ加工等の追加工程を必要とせず、製品内部への異物の侵入を少なくすることができる塞構造を実現する技術を提供することにある。
【０００９】
本発明の前記並びにその他の目的と新規な特徴は、本明細書の記述及び添付図面から明らかになるであろう。
【課題を解決するための手段】
【００１０】
本願において開示される発明のうち、代表的なものの概要を簡単に説明すれば、次のとおりである。
すなわち、本発明による同軸コネクタは、基板上に実装されるスイッチ付き同軸コネクタであって、同軸プラグの中心導体を上方から受入れ可能な孔を有する絶縁ハウジングと、前記絶縁ハウジングの外側に設けられ前記同軸プラグの外部導体が着脱可能な外部導体と、前記孔の下方に設けられ互いに接離可能な固定端子及び可動端子と、を備えるものである。そして、前記絶縁ハウジングは、前記可動端子を圧入するための挿入孔と、前記挿入孔の上部に設けられた押圧変形部とを有し、前記外部導体は、前記押圧変形部と対面する部分に押圧部を有し、前記押圧変形部は、前記外部導体が前記絶縁ハウジングに装着される時に、前記押圧部により押し下げられ、前記挿入孔を塞いでいる。そして、前記固定端子は接触部を有し、前記可動端子は、前記絶縁ハウジングに固定される固定部と、前記固定部から片持ち梁状に延出し、前記同軸プラグの中心導体と当接可能且つ前記接触部と接触可能な弾性部とを有し、前記同軸プラグの中心導体が前記絶縁ハウジングの前記孔に嵌合していないとき、前記弾性部が前記接触部と接触し、前記固定端子と前記可動端子とが電気的に接続され、前記同軸プラグの中心導体が前記絶縁ハウジングの前記孔に嵌合すると、前記中心導体が前記弾性部に当接し、前記弾性部が前記接触部から離間し、前記固定端子と前記可動端子とが電気的に遮断され、前記同軸プラグの中心導体と前記可動端子とが電気的に接続されるように構成されている。
また、本発明による同軸コネクタの組み立て方法は、基板上に実装されるスイッチ付き同軸コネクタの組み立て方法であって、絶縁ハウジングの第１の挿入孔を通して、前記絶縁ハウジング内の空間に可動端子を圧入する第１工程と、前記絶縁ハウジングの第２の挿入孔を通して、前記絶縁ハウジング内の前記空間に固定端子を圧入する第２工程と、前記絶縁ハウジングに外部導体を上方から被せて、前記外部導体の側面を押し曲げて、かしめる第３工程と、を有しているものである。そして、前記第３工程において、前記絶縁ハウジングの前記第１の挿入孔の上部に設けられた押圧変形部が、前記外部導体の押圧部により押し下げられて、前記押圧変形部が下方に曲げられて、前記第１の挿入孔が塞がれるものである。
【発明の効果】
【００１１】
本発明によれば、容易に且つ簡易な構造を用いて製品内部への異物の侵入を防止することができる。
【図面の簡単な説明】
【００１２】
【図１】本発明の実施の形態１によるスイッチ付き同軸コネクタの全体構成を示す斜視図である。
【図２】本発明の実施の形態１によるスイッチ付き同軸コネクタの全体構成を示す斜視図である。
【図３】本発明の実施の形態１によるスイッチ付き同軸コネクタの全体構成を示す斜視図である。
【図４】本発明の実施の形態１によるスイッチ付き同軸コネクタの全体構成を示す斜視図である。
【図５】本発明の実施の形態１によるスイッチ付き同軸コネクタの全体構成を示す左側面図である。
【図６】本発明の実施の形態１によるスイッチ付き同軸コネクタの全体構成を示す正面図である。
【図７】本発明の実施の形態１によるスイッチ付き同軸コネクタの全体構成を示す右側面図である。
【図８】本発明の実施の形態１によるスイッチ付き同軸コネクタの全体構成を示す背面図である。
【図９】本発明の実施の形態１によるスイッチ付き同軸コネクタの全体構成を示す上面図である。
【図１０】本発明の実施の形態１によるスイッチ付き同軸コネクタの全体構成を示す裏面図である。
【図１１】本発明の実施の形態１によるスイッチ付き同軸コネクタの中心線断面図（図９のＡ−Ａ線断面図）である。
【図１２】本発明の実施の形態１によるスイッチ付き同軸コネクタにおいて、可動端子を絶縁ハウジングに組み込む前の状態を示す斜視図である。
【図１３】本発明の実施の形態１によるスイッチ付き同軸コネクタにおいて、固定端子を絶縁ハウジングに組み込む前の状態を示す斜視図である。
【図１４】本発明の実施の形態１によるスイッチ付き同軸コネクタにおいて、外部導体を絶縁ハウジングに装着する前の状態を示す斜視図である。
【図１５】本発明の実施の形態２によるスイッチ付き同軸コネクタの全体構成を示す斜視図である。
【図１６】本発明の実施の形態２によるスイッチ付き同軸コネクタの全体構成を示す上面図である。
【図１７】本発明の実施の形態２によるスイッチ付き同軸コネクタの全体構成を示す正面図である。
【図１８】本発明の実施の形態２によるスイッチ付き同軸コネクタの中心線断面図（図１６のＡ−Ａ線断面図）である。
【図１９】本発明の実施の形態２によるスイッチ付き同軸コネクタにおいて、外部導体を絶縁ハウジングに装着する前の状態を示す図である。
【発明を実施するための形態】
【００１３】
以下、本発明の実施の形態を図面に基づいて詳細に説明する。なお、実施の形態を説明するための全図において、同一部材には原則として同一の符号を付し、その繰り返しの説明は省略する。
【００１４】
（実施の形態１）
図１乃至図１０に、本発明の実施の形態１によるスイッチ付き同軸コネクタ２１の全体図を示す。更に詳細には、図１乃至図４は、本実施形態１の同軸コネクタ２１の斜視図であり、図１は左上側から見た図、図２は左下側から見た図、図３は右上側から見た図、図４は右下側から見た図である。図５乃至図１０は、それぞれ、本実施形態１の同軸コネクタ２１の左側面図、正面図、右側面図、背面図、上面図、裏面図である。図１１は、本実施形態１の同軸コネクタ２１の中心線断面図（図９のＡ−Ａ線断面図）である。図１２は、可動端子２５を絶縁ハウジング２２に組み込む前の状態を示す図、図１３は、固定端子２４を絶縁ハウジング２２に組み込む前の状態を示す図、図１４は、外部導体２３を絶縁ハウジング２２に組み込む前の状態を示す図である。
【００１５】
図１乃至図１０に示されるように、本実施形態１によるスイッチ付き同軸コネクタ２１は、主に、略直方体形状のプラスチック等の樹脂で形成された絶縁ハウジング２２と、この絶縁ハウジング２２の外側に設けられた金属製の外部導体２３と、少なくとも一部が絶縁ハウジング２２の内部に設置される固定端子２４と可動端子２５から成る。同軸コネクタ２１は、基板（図示せず）上に実装可能であり、外部に露出した固定端子２４の基板接続部３８（図２及び図４によく示されている）や可動端子２５の基板接続部４３を通じて基板に接続されて、基板回路の一部を形成し得る。
【００１６】
絶縁ハウジング２２の上部には、略円筒状の外周部の下部に環状に段差部３０が形成されている。外部導体２３の上面には、円筒状の上部３１が設けてある。外部導体２３の上部３１の外周面には半円断面の環状溝３２が形成されており、この環状溝３２に同軸プラグ側の外部導体の下端部（図示せず）が嵌合可能となっている。また、絶縁ハウジング２２の上面には、すり鉢状の凹部３４が形成され、この凹部３４の底面中央部には、同軸プラグの中心導体を上方から受け入れ可能な縦孔３５が穿設されている。さらに、この縦孔３５の下方には、この縦孔３５と連通する横長の空間３６が形成され、同軸プラグ（図示せず）が装着されると、中心導体（図示せず）の下端部は縦孔３５を挿通し、空間３６に達するようになっている。
【００１７】
図１２によく示されているように、可動端子２５は、平板状の固定部４２と、この固定部４２の基端側から下方にＵ字状に曲成された基板接続部４３と、更に、固定部４２から先端方向斜め上方に片持ち梁状に延出する弾性部４４を備えている。弾性部４４は同軸プラグの中心導体と当接可能であり、且つ、この当接位置より先端側で、後述する固定端子２４の接触部４０の下端と接触可能となっている。固定部４２の側部には楔状の突起４５が形成され、固定部４２は突起４５を介して固定端子２４の圧入方向の反対側から絶縁ハウジング２２の挿入孔５０を通じて空間３６に水平姿勢で圧入される。挿入孔５０は、弾性部４４の挿入を許容する為に略凸形状の開口をしている。弾性部４４の両側外周部４６は、当接位置の近傍から可動端子２５の固定部４２に向かって拡幅され、凹状に湾曲した形状を成している。また、弾性部４４には、当接位置より固定部４２側に切欠部４７が設けられ、この切欠部４７は、弾性部４４に沿って延びている。また、固定部４２には、立上り片６１が設けられており、該立上り片６１は、挿入孔５０の内部（空間３６）開口に向けて鋭角な角度を持っている形状である。これらにより、挿入孔５０からの異物の侵入を防止している。特に、挿入孔５０をそのままの開放状態にしておくと、挿入孔５０から直接的に接触部４０と弾性部４４との接点が見えるので、押圧変形部５３を変形させて直接見えないようにすることで、上記の効果が生じる。
【００１８】
図１３によく示されているように、固定端子２４は、平板状の固定部３７と、この固定部３７の基端側から下方にコ字状に曲成された端部に設けた基板接続部３８と、それらの間の腕部４８を備えている。尚、固定部３７の横方向における幅は、腕部４８の幅よりも相当に大きく設定されている。固定部３７の側部には楔状の突起３９が形成されており、これらの突起３９を介して固定部３７は絶縁ハウジング２２の側方から絶縁ハウジング２２の挿入孔８０を通じて空間３６に水平姿勢で圧入される。この結果、固定部３７は、絶縁ハウジング２２の内部に設置され、それ以外の腕部４８と基板接続部３８は、絶縁ハウジング２２の外部に露出されたままの状態となる。また、固定部３７のほぼ中央部には下方に突出する接触部４０（図１１参照）が設けられており、弾性部４４との接触圧力を高め、接触信頼性を高めることができるようになっている。なお、挿入孔８０は、横長矩形状の開口となっている。
【００１９】
図１、図２、図１２、図１４によく示されているように、絶縁ハウジング２２の、可動端子２５が圧入される側の挿入孔５０の上部には、弾性を有する押圧変形部５３が設けられている。押圧変形部５３は、絶縁ハウジング２２の挿入孔５０の上部に切り込み（又はスリット）を入れることにより形成されている。また、図１４によく示されているように、外部導体２３には、押圧変形部５３と対面する部分に凸状に突出した押圧部７０が設けられている。そして、押圧変形部５３は、外部導体２３が絶縁ハウジング２２に装着される時に、押圧部７０により押し下げられて変形し、挿入孔５０の押圧変形部５３の下の隙間を塞ぐようになっている。つまり、この押圧変形部５３は、挿入孔５０を塞ぐための塞部として利用できる。
図３乃至図７、図１３によく示されているように、絶縁ハウジング２２は、固定端子２４の固定部３７が圧入される側において、固定部３７の圧入方向における断面に対応する形状を有した挿入孔８０を有する。
【００２０】
本実施形態１のスイッチ付き同軸コネクタ２１は、携帯電話機のような携帯式の通信機器において、内蔵される高周波回路の検査用などに使用される。また、高周波回路用に、外部導体２３はシールドされ、可動端子２５及び固定端子２４はインピーダンス整合がとられている。
【００２１】
同軸プラグ（図示せず）が装着されていないときは、可動端子２５は弾性部４４の弾性力により固定端子２４の接触部４０に押し付けられて、固定端子２４と可動端子２５は電気的に接続された状態を保持する。同軸プラグが装着されているときは、同軸プラグの外部導体（図示せず）の下端部は外部導体２３に当接し、同軸プラグの中心導体（図示せず）の下端部は、縦孔３５に挿通する。この状態で同軸プラグの中心導体は、弾性部４４に当接する。このとき、同軸プラグの中心導体の弾性力は弾性部４４よりも強いので、弾性部４４は同軸プラグの中心導体により押し下げられ、弾性変形し、接触部４０から離間し、固定端子２４と可動端子２５は電気的に切り離されると同時に、同軸プラグの中心導体と可動端子２５が接続された状態となる。これにより、可動端子２５から固定端子２４へ流れていた信号を可動端子２５から同軸プラグの中心導体へ流して、高周波回路を検査することができる。
【００２２】
次に、図１２乃至図１４により、本実施形態１によるスイッチ付き同軸コネクタ２１の組み立て方法を説明する。
【００２３】
まず、図１２に示されるように、絶縁ハウジング２２の挿入孔５０を通して、絶縁ハウジング２２の空間３６に可動端子２５を圧入する。
【００２４】
次に、図１３に示されるように、絶縁ハウジング２２の挿入孔８０を通して、絶縁ハウジング２２の空間３６に固定端子２４を圧入する。この際、接触部４０と弾性部４４とが擦らないように、絶縁ハウジング２２の縦孔３５の上方から、治具により弾性部４４を押し下げながら、固定端子２４を圧入する。
【００２５】
続いて、図１４に示されるように、絶縁ハウジング２２の外側に、外部導体２３を装着する。この際、絶縁ハウジング２２に外部導体２３を上方から被せて、外部導体２３の側面を押し曲げて、かしめる。これにより、外部導体２３が絶縁ハウジング２２に固定される。この時、外部導体２３の押圧部７０が、絶縁ハウジング２２の押圧変形部５３に接触して押し下げるので、押圧変形部５３が下方に曲げられて、挿入孔５０の隙間が塞がれる。
【００２６】
したがって、本実施の形態１のスイッチ付き同軸コネクタ２１によれば、絶縁ハウジング２２に外部導体２３を装着すると同時に、挿入孔５０が塞がれ、塞部が形成されるので、特許文献１記載の技術のような、抑え部及び延伸部の折り曲げ加工等の追加工程を必要とせず、製品内部への異物の侵入を少なくすることができる。また、抑え部及び延伸部等が必要ないので、製品の外観サイズも小さくすることが可能である。また、可動端子２５の固定部４２には、立上り片６１が設けられているので、さらに、挿入孔５０から空間３６内部への異物の侵入が防止される。
【００２７】
（実施の形態２）
図１５乃至図１８に、本発明の実施の形態２によるスイッチ付き同軸コネクタ２１ａの全体図を示す。更に詳細には、図１５は、本実施形態２の同軸コネクタ２１ａの斜視図であり、左上側から見た図である。図１６及び図１７は、それぞれ、本実施形態２の同軸コネクタ２１ａの上面図、正面図である。図１８は、本実施形態２の同軸コネクタ２１ａの中心線断面図（図１６のＡ−Ａ線断面図）である。図１９は、外部導体２３ａを絶縁ハウジング２２ａに組み込む前の状態を示す図である。
【００２８】
前記実施の形態１の同軸コネクタ２１は、外部導体２３の押圧部７０の絶縁ハウジング２２に対面する部分が凸状に突出していたが、本実施の形態２の同軸コネクタ２１ａは、外部導体２３ａの押圧部７０ａが平らであり、絶縁ハウジング２２ａの押圧変形部５３ａは、外部導体２３ａと対面する部分が凸状に突出する形状となっている。そして、外部導体２３ａが絶縁ハウジング２２ａに装着される時に、絶縁ハウジング２２ａの押圧変形部５３ａの凸状部分が、押圧部７０ａにより押し下げられて、押圧変形部５３ａが変形し、挿入孔５０を塞ぐようになっている。つまり、この押圧変形部５３ａは、挿入孔５０を塞ぐための塞部として利用できる。
【００２９】
なお、本実施形態２の同軸コネクタ２１ａにおいて、他の部分は、前記実施の形態１のスイッチ付き同軸コネクタ２１と同様であるので、説明を省略する。
【００３０】
したがって、本実施の形態２のスイッチ付き同軸コネクタ２１ａによれば、前記実施の形態１のスイッチ付き同軸コネクタと同様の効果を奏することが可能となる。
【００３１】
以上、本発明者によってなされた発明をその実施の形態に基づき具体的に説明したが、本発明は前記実施の形態に限定されるものではなく、その要旨を逸脱しない範囲で種々変更可能であることはいうまでもない。
【００３２】
例えば、前記実施の形態においては、高周波回路用のスイッチ付き同軸コネクタについて説明したが、これに限定されるものではなく、他の一般的なコネクタについても適用可能であり、特に異物の侵入が問題となるコネクタになるほど本発明の効果は有効である。
【符号の説明】
【００３３】
２１，２１ａ  同軸コネクタ
２２，２２ａ  絶縁ハウジング
２３，２３ａ  外部導体
２４  固定端子
２５  可動端子
３０  段差部
３１  上部
３２  環状溝
３４  凹部
３５  縦孔
３６  空間
３７  固定部
３８  基板接続部
３９  突起
４０  接触部
４２  固定部
４３  基板接続部
４４  弾性部
４５  突起
４６  両側外周部
４７  切欠部
４８  腕部
５０  挿入孔
５３，５３ａ  押圧変形部
６１  立上り片
７０，７０ａ  押圧部
８０  挿入孔
【図１】
2010238523.tif 000003
【図２】
2010238523.tif 000004
【図３】
2010238523.tif 000005
【図４】
2010238523.tif 000006
【図５】
2010238523.tif 000007
【図６】
2010238523.tif 000008
【図７】
2010238523.tif 000009
【図８】
2010238523.tif 000010
【図９】
2010238523.tif 000011
【図１０】
2010238523.tif 000012
【図１１】
2010238523.tif 000013
【図１２】
2010238523.tif 000014
【図１３】
2010238523.tif 000015
【図１４】
2010238523.tif 000016
【図１５】
2010238523.tif 000017
【図１６】
2010238523.tif 000018
【図１７】
2010238523.tif 000019
【図１８】
2010238523.tif 000020
【図１９】
2010238523.tif 000021